(57)【要約】【課題】棒状体に着脱が容易な接続具、着脱容易な医療用スタンド付属荷台および医療用スタンド接続機能付き患者搬送具を提供すること。【解決手段】接続具１は、心棒４０と、心棒に設けられる第１拘束部１０であって、心棒の軸方向に直交し、かつ、心棒の心棒周りにおける一方向に直交する方向の１つで開口し、他の方向には棒状体の軸直交方向の変位を拘束する、第１拘束部と、心棒の第１拘束部と同方向において、第１拘束部から離間した位置に設けられる第２拘束部２０であって、第１拘束部の開口する方向と逆方向に開口し、他の方向には棒状体の軸直交方向の変位を拘束する、第２拘束部と、第１拘束部と第２拘束部の間で、心棒周りにおける第１拘束部と同方向に突出可能な第３拘束部３０であって、心棒の両側方に第１拘束部の開口する方向と第２拘束部の開口する方向とへの棒状体の軸直交方向の変位を拘束する、第３拘束部とを備える。【選択図】図１
2020176682.tif 000002
【特許請求の範囲】
【請求項１】
棒状体に接続される接続具であって：
心棒と；
前記心棒の心棒周りにおける一方向に設けられる第１拘束部であって、前記心棒の軸方向に直交し、かつ、前記心棒の心棒周りにおける一方向に直交する方向の１つで開口し、他の方向には前記棒状体の軸直交方向の変位を拘束する、第１拘束部と；
前記心棒の心棒周りにおける前記第１拘束部と同方向において、前記第１拘束部から離間した位置に設けられる第２拘束部であって、前記第１拘束部の開口する方向と逆方向に開口し、他の方向には前記棒状体の軸直交方向の変位を拘束する、第２拘束部と；
前記第１拘束部と前記第２拘束部の間で、前記心棒周りにおける前記第１拘束部と同方向に突出可能な、第３拘束部であって、前記心棒の両側方に前記第１拘束部の開口する方向と前記第２拘束部の開口する方向とへの前記棒状体の軸直交方向の変位を拘束する、第３拘束部とを備える；
接続具。
【請求項２】
前記第３拘束部は、一端で前記心棒に回動可能に支持され、前記心棒から突出する位置と、前記心棒から突出しない位置との間を回動する；
請求項１に記載の接続具。
【請求項３】
前記第３拘束部の回動を拘束する止め部材を備える；
請求項２に記載の接続具。
【請求項４】
前記第１拘束部と前記第２拘束部は、前記心棒の軸に垂直な面で略コの字状断面を有する；
請求項１ないし３のいずれか１項に記載の接続具。
【請求項５】
前記第１拘束部と前記第２拘束部は、前記棒状体の軸直交方向の変位を平面で拘束する；
請求項１ないし４のいずれか１項に記載の接続具。
【請求項６】
前記第１拘束部と前記第２拘束部の前記棒状体の軸直交方向の変位を拘束する平面に、前記棒状体との滑りを抑止する部材が設けられる；
請求項５に記載の接続具。
【請求項７】
前記第１拘束部と前記第２拘束部の前記棒状体の軸直交方向の変位を拘束する平面に、前記棒状体との滑りを助長する部材が設けられる；
請求項５に記載の接続具。
【請求項８】
請求項１ないし７のいずれか１項に記載の接続具と、
前記心棒周りにおける前記第１拘束部と反対の方向で、前記心棒に固着される平板とを備え、
前記接続具は医療用スタンドに接続される；
医療用スタンド付属荷台。
【請求項９】
前記平板は、前記心棒と直交方向の面を有し、
前記接続具が前記医療用スタンドに接続されたときに前記平板より上方となる位置で前記心棒に固着された枠を有する、
請求項８に記載の医療用スタンド付属荷台。
【請求項１０】
患者搬送具と；
前記患者搬送具に固着された水平方向のピンと、
請求項１ないし７のいずれか１項に記載の接続具であって、前記第１拘束部と第２拘束部との間で、前記心棒周りにおける前記第１拘束部の開口と同方向回りに回動可能に前記ピンに支持された接続具とを備え、
前記接続具は医療用スタンドに接続される；
医療用スタンド接続機能付き患者搬送具。
【発明の詳細な説明】
【技術分野】
【０００１】
本発明は、接続具および医療用スタンド付属荷台、医療用スタンド接続機能付き患者搬送具に関する。特に着脱が容易な接続具、および、その接続具を用いる医療用スタンド付属荷台ならびに医療用スタンド接続機能付き患者搬送具に関する。
【背景技術】
【０００２】
患者とともに移動する点滴スタンドに、さらに他の医療器具を取り付けることがある。たとえば、酸素吸入を必要とする患者の場合には酸素ボンベを患者とともに移動する必要がある。また、患者の脈拍や呼吸等を常時計測する必要がある場合には、それらの計測器を患者とともに移動する。しかし、医療器具は常に点滴スタンドに備えられるものではなく、点滴スタンドから着脱できることが要求される。
【０００３】
医療器具を点滴スタンドとともに移動するために、点滴スタンドへの付随物の積載治具が提案されている（特許文献１参照）。この積載治具は、付随物を載置する底部と、底部と固定される垂直部材と、垂直部材に設置され付随物を拘束する拘束部材と、垂直部材に設けられた固定部材を有する。固定部材では、点滴スタンドの支柱に嵌合部材を嵌めて、嵌合部材をノブボルトで締めて、支柱に固定する。このようにして、積載治具を点滴スタンドに取り付け、医療器具を積載治具に載置して点滴スタンドとともに搬送する。
【先行技術文献】
【特許文献】
【０００４】
【特許文献１】特許第５９３０９３３号明細書
【発明の概要】
【発明が解決しようとする課題】
【０００５】
特許文献１の点滴スタンドへの付随物の積載治具によれば、医療器具を点滴スタンドとともに搬送することが可能となるが、積載治具を点滴スタンドに固定するには、ノブボルトを締めて嵌合部材を支柱に固定する必要がある。ノブボルトを締めると支柱に傷をつけてしまうので、特に医療関係では、消毒および清掃のうえで、好ましくない。また積載治具を外すにはノブボルトを緩めて嵌合部材を支柱から取り外す必要があり、点滴スタンドへの着脱には手間がかかるものであった。
【０００６】
そこで、本発明は、棒状体に傷つけることなく、棒状体に着脱が容易な接続具を提供することを目的とする。また、その接続具を用いた点滴スタンド等の医療用スタンドに着脱容易な医療用スタンド付属荷台、およびその接続具を用いた医療用スタンド接続機能付き患者搬送具を提供することを目的とする。
【課題を解決するための手段】
【０００７】
上記課題を解決するための本発明の第１の態様に係る接続具は、たとえば図１に示すように、棒状体１００に接続される接続具１であって、心棒４０と、心棒４０の心棒周りにおける一方向Ｘに設けられる第１拘束部１０であって、心棒４０の軸方向Ｚに直交し、かつ、心棒４０の心棒周りにおける一方向Ｘに直交する方向＋Ｙの１つで開口し、他の方向には棒状体１００の軸直交方向の変位を拘束する、第１拘束部１０と、心棒４０の心棒周りにおける第１拘束部１０と同方向Ｘにおいて、第１拘束部１０から離間した位置に設けられる第２拘束部２０であって、第１拘束部１０の開口する方向と逆方向−Ｙに開口し、他の方向には棒状体１００の軸直交方向の変位を拘束する、第２拘束部２０と、第１拘束部１０と第２拘束部２０の間で、心棒周りにおける第１拘束部１０と同方向Ｘに突出可能な、第３拘束部３０であって、心棒４０の両側方に第１拘束部１０の開口する方向＋Ｘと第２拘束部２０の開口する方向−Ｙとへの棒状体１００の軸直交方向の変位を拘束する、第３拘束部３０とを備える。
【０００８】
このように構成した接続具では、第１拘束部により開口する方向以外の３方向で棒状体の軸直交方向の変位を拘束し、第２拘束部により開口する方向以外の３方向で棒状体の軸直交方向の変位を拘束し、ここで、第１拘束部の開口する方向と第２拘束部の開口する方向とは逆方向であり、さらに、第１拘束部と第２拘束部の間において第３拘束部により第１拘束部と第２拘束部の開口する方向で棒状体の軸直交方向の変位を拘束する。すなわち、棒状体の軸直交方向変位を拘束する接続具となる。そして、第１拘束部の開口する方向と第２拘束部の開口する方向とが逆方向であるので、それらの間を棒状体と接触させつつ回転中心として回転することにより、棒状体は第１拘束部および第２拘束部と係合する。その後に第３拘束部を第１拘束部および第２拘束部の方向に突出させることで、接続具は棒状体と接続される。また、上記の逆の操作により、接続具と棒状体との接続を解除できる。よって、着脱が容易である。また、ノブボルトで締め付けるようなこともないので、棒状体を傷つけない。
【０００９】
本発明の第２の態様に係る接続具１では、たとえば図１に示すように、第３拘束部３０は、一端で心棒４０に回動可能に支持され、心棒４０から突出する位置と、心棒４０から突出しない位置との間を回動する。このように構成すると、第３拘束部を回動することにより心棒から突出させ、また、突出させないようにできる。よって、着脱が容易となる。
【００１０】
本発明の第３の態様に係る接続具１では、たとえば図１に示すように、第３拘束部３０の回動を拘束する止め部材３２を備える。このように構成すると、止め部材で第３拘束部の回動を拘束することにより、接続具が棒状体と接続された状態を堅固にできる。
【００１１】
本発明の第４の態様に係る接続具１では、たとえば図１に示すように、第１拘束部１０と第２拘束部２０は、心棒４０の軸に垂直な面で略コの字状断面を有する。このように構成すると、簡易な構造の第１拘束部と第２拘束部となる。なお、「略コの字状」とは、コの字において、角が丸みを有している場合や厳密には直角に曲がっていない場合を含むことを意味する。
【００１２】
本発明の第５の態様に係る接続具１では、たとえば図１に示すように、第１拘束部１０と第２拘束部２０は、棒状体１００の軸直交方向の変位を平面で拘束する。このように構成すると、棒状体の軸直交方向の変位を平面で拘束するので、確実に変位を拘束して棒状体に接続される接続具となる。また、平面で棒状体の軸直交方向変位を拘束するので、棒状体を傷つけない。
【００１３】
本発明の第６の態様に係る接続具１では、たとえば図３に示すように、第１拘束部１０と第２拘束部２０の棒状体１００の軸直交方向の変位を拘束する平面に、棒状体１００との滑りを抑止する部材１８が設けられる。このように構成すると、第１拘束部と第２拘束部の棒状体の軸直交方向の変位を拘束する平面に、棒状体との滑りを抑止する部材が設けられるので、接続具は棒状体の軸方向変位を拘束することができる。
【００１４】
本発明の第７の態様に係る接続具１では、たとえば図３に示すように、第１拘束部１０と第２拘束部２０の棒状体１００の軸直交方向の変位を拘束する平面に、棒状体１００との滑りを助長する部材１９が設けられる。このように構成すると、第１拘束部と第２拘束部の棒状体の軸直交方向の変位を拘束する平面に、棒状体との滑りを助長する部材が設けられるので、接続具と棒状体は、棒状体の軸方向に互いに滑り易い。
【００１５】
本発明の第８の態様に係る医療用スタンド付属荷台６０では、たとえば図４に示すように、第１ないし第７のいずれかの態様に記載の接続具１と、心棒周りにおける第１拘束部１０と反対の方向で、心棒４０に固着される平板６２とを備え、接続具１は医療用スタンド１１０に接続される。このように構成すると、医療用スタンドに着脱が容易で医療用スタンドを傷つけない、医療用スタンド付属荷台となる。
【００１６】
本発明の第９の態様に係る医療用スタンド付属荷台６０では、たとえば図４に示すように、平板６２は、心棒４０と直交方向の面を有し、接続具１が医療用スタンド１１０に接続されたときに平板６２より上方となる位置で心棒４０に固着された枠６４を有する。このように構成すると、たとえば酸素ボンベなどの荷物を平板に載置し枠で落下を防止するので使い易い医療用スタンド付属荷台となる。
【００１７】
本発明の第１０の態様に係る医療用スタンド接続機能付き患者搬送具１２０では、たとえば図４および図５に示すように、患者搬送具１３０と、患者搬送具１３０に固着された水平方向のピン１２４と、第１ないし第７のいずれかの態様に記載の接続具１であって、第１拘束部１０と第２拘束部２０との間で、心棒周りにおける第１拘束部１０の開口と同方向Ｘ回りに回動可能にピン１２４に支持された接続具１とを備え、接続具１は医療用スタンド１１０に接続される。このように構成すると、医療用スタンドを容易に着脱可能で医療用スタンドを傷つけない、医療用スタンド接続機能付き患者搬送具となる。
【発明の効果】
【００１８】
本発明の接続具によれば、心棒と、心棒の心棒周りにおける一方向に設けられる第１拘束部であって、心棒の軸方向に直交し、かつ、心棒の心棒周りにおける一方向に直交する方向の１つで開口し、他の方向には棒状体の軸直交方向の変位を拘束する、第１拘束部と、心棒の心棒周りにおける第１拘束部と同方向において、第１拘束部から離間した位置に設けられる第２拘束部であって、第１拘束部の開口する方向と逆方向に開口し、他の方向には棒状体の軸直交方向の変位を拘束する、第２拘束部と、第１拘束部と第２拘束部の間で、心棒周りにおける第１拘束部と同方向に突出可能な、第３拘束部であって、心棒の両側方に第１拘束部の開口する方向と第２拘束部の開口する方向とへの棒状体の軸直交方向の変位を拘束する、第３拘束部とを備えるので、棒状体の軸直交方向変位を拘束する接続具となる。特に、棒状体への着脱が容易で棒状体を傷つけない、接続具となる。
【００１９】
また、本発明の医療用スタンド付属荷台によれば、本発明の接続具を有するので、医療用スタンドに着脱が容易で、棒状体を傷つけない医療用スタンド付属荷台となる。本発明の医療用スタンド接続機能付き患者搬送具によれば、本発明の接続具を有するので、医療用スタンドを容易に着脱可能で棒状体を傷つけない、医療用スタンド接続機能付き患者搬送具となる。
【図面の簡単な説明】
【００２０】
【図１】図１は、本発明に係る接続具を説明する図で、（ａ）は第３拘束部を心棒から突出させた状態を示す斜視図で、（ｂ）は第３拘束部を心棒から突出させない状態を示す側面図である。
【図２】図２は、本発明に係る接続具を棒状体に接続する様子を説明する図で、（ａ）は接続具を棒状体に接触させたところ、（ｂ）は接続具を回転させ、第１拘束部および第２拘束部を棒状体と係合したところを示す。
【図３】図３は、棒状体の軸直交方向の変位を拘束する平面に、棒状体との滑りを抑止する部材あるいは棒状体との滑りを助長する部材を設けた第１拘束部を示す斜視図である。
【図４】図４は、本発明に係る医療用スタンド付属荷台の斜視図であり、（ａ）は医療用スタンドに医療用スタンド付属荷台を取り付けたところを、（ｂ）は医療用スタンド付属荷台に酸素ボンベを載置したところを示す。
【図５】図５は、本発明に係る医療用スタンド接続機能付き患者搬送具を示す斜視図であり、（ａ）は医療用スタンドの棒状体を接続したところを示し、（ｂ）は医療用スタンドの棒状体を接続する様子を示す。
【図６】図６は、本発明に係る接続具の使用例を示し、（ａ）は物流用の吊り下げラックに用いた例、（ｂ）は看板等の吊り下げに用いた例、（ｃ）は自転車の収納ボックスの吊り下げに用いた例、（ｄ）はハンガーの吊り下げに用いた例を示す。
【図７】図７は、本発明に係る接続具をカートの連結に用いた例を示す。
【発明を実施するための形態】
【００２１】
以下、図面を参照して、本発明の実施の形態について説明する。なお、各図において、互いに同一または相当する装置には同一符号を付し、重複した説明は省略する。
【００２２】
図１は、本発明の実施の形態として、棒状体１００に接続する接続具１を説明する図である。接続具１は、接続具１の本体としての心棒４０と、心棒４０に設けられる第１拘束部１０と、第１拘束部１０から離間した位置で心棒４０に設けられる第２拘束部２０と、第１拘束部１０と第２拘束部２０の間で心棒４０に設けられる第３拘束部３０とを有する。こここで、「棒状体」とは、長い直線状の部材を指し、その断面形状は、丸でも多角形でもＨ型でもよく、任意である。「棒状体１００」は、たとえば、柱でも梁でもよく、置かれた向きは限定されない。
【００２３】
心棒４０は、基本的に剛な棒状の部材である。「棒状」とは、長い直線状の部材を指し、その断面形状は任意であり、中実でも中空でもＨ型でもよい。また、板材から切り出したものでもよい。「基本的に剛な」とは、接続具１として使用するのに困難を生じるような変形をしなければよい。
【００２４】
第１拘束部１０は、心棒４０の心棒周りにおける一方向＋Ｘに設けられる。すなわち、第１拘束部１０は、心棒４０から＋Ｘ方向に突出する。第１拘束部１０は、心棒４０の軸方向Ｚに直交し、かつ、心棒４０の心棒周りにおける一方向＋Ｘに直交する方向Ｙの１つで開口する。図１（ａ）では、＋Ｙ方向に開口し、他の方向＋Ｘ、−Ｘ、−Ｙでは棒状体１００の軸直交方向の変位を拘束する。別の言い方をすれば、第１拘束部１０の＋Ｙ方向では、棒状体１００が第１拘束部１０内に出入り可能である。なお、棒状体１００の軸直交方向の変位を拘束するとは、逆の見方をすれば、心棒４０の軸に直交する方向の接続具１の変位が棒状体１００により拘束されることになる。
【００２５】
第１拘束部１０は、コの字状断面を有する部材を固定して形成している。コの字状断面を有する部材を固定して第１拘束部１０を形成すると、棒状体１００の軸直交方向の変位を平面で拘束するので、好ましい。しかし、第１拘束部１０のコの字状断面では、角が丸みを有しても、角が直角に曲がっていなくてもよく、これらの断面を「略コの字状断面」と称する。また、第１拘束部１０は、Ｌ字状断面を有する部材を心棒４０に固定して形成してもよい。この場合、棒状体１００の軸直交方向の変位を拘束する３平面の内の１平面は、心棒４０の表面となる。また、第１拘束部１０の断面は略コの字以外でもよく、たとえばＣ型でもよく、任意である。さらに、第１拘束部１０は、心棒４０と一体に成形されてもよく、その形成方法は任意である。また、第１拘束部１０は、針金を曲げて形成したような、心棒４０の軸方向Ｚに長くなく、棒状体１００を平面あるいは面ではなく、線で拘束してもよい。
【００２６】
第２拘束部２０は、心棒４０の心棒周りにおける第１拘束部１０と同方向＋Ｘに設けられる。第１拘束部１０と第２拘束部２０とは心棒４０の軸方向で離間する。第１拘束部１０または第２拘束部２０は、心棒４０の端部に設けられてもよいし、端部以外の位置に設けられてもよい。第２拘束部２０は、第１拘束部１０が開口する＋Ｙ方向と逆方向の−Ｙ方向で開口し、他の方向＋Ｘ、−Ｘ、＋Ｙでは棒状体１００の軸直交方向の変位を拘束する。その他の点では、第２拘束部２０は第１拘束部１０と同様であるので、重複する説明は省略する。
【００２７】
第３拘束部３０は、第１拘束部１０と第２拘束部２０との間で、心棒４０の心棒周りにおける第１拘束部１０と同方向＋Ｘに突出可能な部材である。第３拘束部３０は、心棒４０の両側方（＋Ｙ、−Ｙ方向）で突出することにより、棒状体１００の軸直交方向の変位を第１拘束部１０の開口する＋Ｙ方向と第２拘束部２０の開口する−Ｙ方向とで拘束する。
【００２８】
第３拘束部３０は、一端で心棒４０に回動可能に支持される。たとえば、コの字状断面の部材の一端をピン３２で心棒４０に取り付ける。なお、第３拘束部３０はコの字状断面の部材に限られない。第３拘束部３０は、ピン３２回りに回動することにより、心棒４０から＋Ｘ方向へ突出した位置と、心棒４０から突出しない位置とを切り替えることができる。図１（ａ）は第３拘束部３０を心棒４０から突出させた状態を示す斜視図で、図１（ｂ）は第３拘束部３０を心棒４０から突出させない状態を示す側面図である。ピン３２をねじで締められる構造とすることにより、第３拘束部３０の回動を拘束することができる。第３拘束部３０の回動を拘束することにより、接続具１と棒状体１００との接続状体を固定できる。なお、第３拘束部３０の回動を拘束するのは、他の公知の手段でもよく、たとえば、心棒４０に凸部を設けて第３拘束部３０に形成した凹部と嵌合してもよいし、フックで拘束してもよい。なお、第３拘束部３０は、一端が心棒４０に回動可能に支持される構造でなくてもよく、たとえば、心棒４０の両側方でＸ方向にスライドする構造でもよい。第３拘束部３０は、棒状体１００の軸直交方向の変位を拘束できれば、細い針でもよい。
【００２９】
次に、図２を参照して、接続具１を棒状体１００に取り付ける手順を説明する。ここでは、医療用スタンドとしての点滴スタンド１１０の支柱が棒状体１００である。接続具１の第３拘束部３０を心棒４０から突出しない位置としておく。そして、第１拘束部１０と第２拘束部２０の間の心棒４０の＋Ｘ方向（第１拘束部１０および第２拘束部２０が突出する方向、図１参照）を棒状体１００に当てる。この状態を図２（ａ）に示す。そして、心棒４０を棒状体１００に当てた位置を中心として、接続具１を回す。その際、第１拘束部１０と第２拘束部２０が開口する方向が棒状体１００に向かうように回す。接続具１を回すことにより、棒状体１００は、第１拘束部１０および第２拘束部２０内に入る。そこで、第１拘束部１０および第２拘束部２０は、棒状体１００の軸直交方向の変位をそれぞれ３方向で拘束する。この状態を図２（ｂ）に示す。ここで、第３拘束部３０を回動して心棒４０から突出させる。よって、第１拘束部１０と第２拘束部２０が開口する方向への棒状体１００の軸直交方向の変位が拘束され、接続具１は棒状体１００に接続される。このように、接続具１は、簡単な手順で棒状体１００に接続することができる。また、第３拘束部３０を回動して心棒４０から突出させないようにして、接続具１を逆方向に回すことにより、接続具１を棒状体１００から容易に取り外すことができる。しかも、ノブボルト等を用いないので、棒状体１００を傷つけることがない。
【００３０】
図１および図２に示すように、第１拘束部１０、第２拘束部２０が、心棒４０の軸方向Ｚに比較的長く、かつ、第３拘束部３０が第１拘束部１０と第２拘束部２０との間をほぼつなぐ程度の長さを有していると、棒状体１００の３方向＋Ｘ、−Ｘ、−Ｙの軸直交方向の変位を第１拘束部１０と第３拘束部３０とを合わせた長さで拘束し、棒状体１００の３方向＋Ｘ、−Ｘ、＋Ｙの軸直交方向の変位を第２拘束部２０と第３拘束部３０とを合わせた長さで拘束する。したがって、棒状体１００の軸直交方向の変位を強固に拘束できるので好ましい。
【００３１】
図３に示すように、接続具１では、第１拘束部１０または第２拘束部２０において棒状体１００の軸直交方向の変位を拘束する平面に棒状体１００とのすべりを抑止する部材１８を設けてもよい。すべりを抑止する部材１８は、棒状体１００の軸直交方向の変位を拘束するいずれの平面にも設けるのが好ましいが、いずれかの平面に設けるだけでもよい。すべりを抑止する部材１８は、平面の全面にわたって設けられなくても、棒状体１００に接触する部分に設けられればよい。すべりを抑止する部材１８としては、硬質ゴム等の摩擦係数の大きな材料で形成されたシートが典型的であるが、公知のすべりを抑止する部材でよい。すべりを抑止する部材１８の弾性変形により棒状体１００を挟むようにしてもよい。第１拘束部１０および第２拘束部２０の棒状体１００の軸直交方向の変位を拘束する平面に棒状体１００とのすべりを抑止する部材１８を設けると、棒状体１００の軸方向の変位も拘束できる。すなわち、接続具１は、棒状体１００の軸方向にすべることがなくなる。なお、第１拘束部１０と第２拘束部２０の両方の、さらには第３拘束部３０の、棒状体１００の軸直交方向の変位を拘束する平面に棒状体１００とのすべりを抑止する部材１８を設けてもよい。
【００３２】
あるいは、図３に示すように、接続具１では、第１拘束部１０および第２拘束部２０において棒状体１００の軸直交方向の変位を拘束する平面に棒状体１００とのすべりを助長する部材１９を設けてもよい。すべりを助長する部材１９は、棒状体１００の軸直交方向の変位を拘束するいずれの平面にも設けるのが好ましい。すべりを助長する部材１９は、平面の全面にわたって設けられなくても、棒状体１００に接触する部分に設けられればよい。すべりを助長する部材１９としては、テフロン（登録商標）シート等の摩擦係数の小さな材料で形成されたシートが典型的であるが、公知のすべりを助長する部材でよい。第１拘束部１０および第２拘束部２０の棒状体１００の軸直交方向の変位を拘束する平面に棒状体１００とのすべりを助長する部材１９を設けると、棒状体１００が軸方向に変位しやすくなる。すなわち、接続具１は、棒状体１００の軸方向にすべりやすくなる。なお、第３拘束部３０の棒状体１００の軸直交方向の変位を拘束する平面にも棒状体１００とのすべりを助長する部材１９を設けるのが好ましい。
【００３３】
次に図４を参照して、接続具１を利用した医療用スタンド付属荷台６０について説明する。医療用スタンド付属荷台６０は、医療用現場で用いるあるいは患者が搬送できる医療器具スタンドなどの医療用スタンドに着脱可能な荷台である。ここでは、医療用スタンドとして点滴スタンド１１０を例に説明する。医療用スタンド付属荷台６０は、接続具１と、接続具１の心棒４０周りにおける第１拘束部１０と反対の方向で、心棒４０に固着される平板６２を備える。この平板６２が荷台となる。図４（ａ）にも示すように、接続具１は、点滴スタンド１１０の支柱である棒状体１００に、接続具１の第１拘束部１０および第２拘束部２０側で接続される。そこで、心棒４０周りにおける第１拘束部１０と反対の方向で心棒４０に固着される平板６２は点滴スタンド１１０側から外向きに延在する。そのため、物を平板６２上に載置し易い。
【００３４】
医療用スタンド付属荷台６０では、平板６２が心棒４０と直交して固着され、心棒４０と直交方向の面を有するのが好ましい。医療用スタンド付属荷台６０の支柱である棒状体１００は床面から垂直方向となるのが普通であり、接続具１を棒状体１００に接続すると、心棒４０は棒状体１００と平行となり、同じく床面に垂直となる。すなわち、心棒４０に直交する平板６２の面は水平面となるので、物を載置し易い。医療用スタンド付属荷台６０は、平板６２より上方で心棒４０に固着された枠６４をさらに有するのが好ましい。枠６４は、平板６２に載置した物を囲み、点滴スタンド１１０を移動させるときなどに落下しないようにする。よって、枠６４の形状は任意であり、載置する物の形状に合わせるのがよい。また、医療用スタンド付属荷台６０は、物の安定性や高さに応じた数の枠６４を有するのが好ましい、図４（ａ）では２つの枠６４を有する例を示す。
【００３５】
図４（ｂ）には、物として酸素ボンベ１１８を載置した医療用スタンド付属荷台６０を点滴スタンド１１０に接続したところを示す。２つの枠６４は、酸素ボンベ１１８の形状に合わせて円形とされる。また、酸素ボンベ１１８は、細長い形状であるので、平板６２は、心棒４０にＬ字型の板を固着して、酸素ボンベ１１８を載置する位置を下方に下げている。すなわち、平板６２の形状は任意であり、物を載置する面を有していればよい。あるいは、載置する位置を下方に下げるためには、接続具１の心棒４０を下方に延長してもよい。すなわち、第１拘束部１０あるいは第２拘束部２０の位置から心棒４０がさらに延在してもよい。酸素ボンベ１１８を載置する位置を下方に下げて、点滴スタンド１１０のキャスタの近くにすることで、点滴スタンド１１０の移動が安定するとともに、酸素ボンベ１１８の揺れを小さくすることができる。なお、医療用スタンド付属荷台６０に用いる接続具１では、第１拘束部１０または第２拘束部２０において棒状体１００の軸直交方向の変位を拘束する平面に棒状体１００とのすべりを抑止する部材１８を設けて、接続具１が上下にずれないようにすることが好ましい。医療用スタンド付属荷台６０によれば、医療用スタンドに着脱容易な荷台となる。
【００３６】
次に図５を参照して、接続具１を利用した医療用スタンド接続機能付き患者搬送具１２０について説明する。医療用スタンド接続機能付き患者搬送具１２０は、先に説明した点滴スタンド１１０などの医療用現場あるいは患者が搬送できる医療器具スタンドを接続可能な患者搬送具である。患者搬送具とは、車椅子や移動式寝台など、患者を搬送するための装置をいう。ここでは、車椅子１３０を例に説明する。たとえば、車椅子１３０の一対のティッピングレバー１３２にアタッチメント１２２を取り付ける。アタッチメント１２２は、医療用スタンドに接続するための接続具１を操作し易い高さにするために用いられる。車椅子１３０の形状によっては、車椅子１３０の別の部品に接続具１を設けてもよい。アタッチメント１２２にピン１２４が水平方向に取り付けられる。ここでいう水平方向は厳密な水平方向でなくてもよく、接続具１を回し易い方向であればよい。接続具１では、第１拘束部１０と第２拘束部２０の間の心棒４０にピン１２４用の孔を形成する。接続具１の孔にピン１２４を挿通し、心棒４０回りにおける第１拘束部１０と第２拘束部２０の開口と同方向に回動可能に接続具１をアタッチメント１２２で支持する。「開口と同方向に回動可能」という場合、逆方向に回すことを含む。その際、第１拘束部１０と第２拘束部２０が、アタッチメント１２２に対し心棒４０の反対側とする。
【００３７】
医療用スタンド（たとえば図４に示す点滴スタンド１１０）の棒状体１００を、アタッチメント１２２に支持された接続具１に接触させ、接続具１を回して、棒状体１００を第１拘束部１０および第２拘束部２０内に入れる。そして、第３拘束部３０を心棒４０から突出するように回動することにより、医療用スタンドは接続具１に接続される。すなわち、医療用スタンドが車椅子１３０に接続される。また、第３拘束部３０を心棒４０から突出しないように回動し、接続具１を逆方向に回して、棒状体１００を第１拘束部１０および第２拘束部２０から外すことにより、医療用スタンドは車椅子１３０との接続が解除される。なお、医療用スタンド接続機能付き患者搬送具１２０に用いる接続具１では、第１拘束部１０または第２拘束部２０において棒状体１００の軸直交方向の変位を拘束する平面に棒状体１００とのすべりを助長する部材１９を設けて、接続具１が上下にずれ易くすることが好ましい。医療用スタンドを接続した車椅子１３０を搬送するときに、段差を超えて搬送することもあり、医療用スタンドと車椅子１３０との高さがスムースに変わることができるようにするためである。医療用スタンド接続機能付き患者搬送具１２０によれば、医療用スタンドの着脱を容易に行うことができる。
【００３８】
例えば、図６に示すように、接続具１は、種々の吊り下げ用途に使用することができる。図６（ａ）に示すように、物流用の吊り下げラックに用いることができる。すなわち、搬送物７２を接続具１から吊り下げ、接続具１をラック７０に接続することにより、搬送物７２をラック７０に沿って移動可能である。この場合、接続具１には、第１拘束部１０および第２拘束部２０において棒状体１００の軸直交方向の変位を拘束する平面に棒状体１００とのすべりを助長する部材１９が設けられるのが好ましい。接続具１を用いることにより、搬送物７２をラック７０に簡単に取り付け、取り外すことができる。同様に、カーテンレールに後付けするランナーとして用いることができる。
【００３９】
また図６（ｂ）に示すように、看板７６等の吊り下げに用いることもできる。看板７６等を接続具１から吊り下げ、フレーム７４に接続することにより、例えば屋外に設置しても風等で看板７６等がフレーム７４から外れることがない。接続具１を用いることにより、看板７６等をフレーム７４に簡単に取り付け、取り外すことができ、例えば表裏の取り換えが容易である。
【００４０】
また図６（ｃ）に示すように、収納ボックス８０等の吊り下げに用いることもできる。収納ボックス８０等を接続具１から吊り下げ、自転車７８のフレームに接続することにより、走行中に収納ボックス８０等が自転車７８から外れることがない。接続具１を用いることにより、収納ボックス８０等を自転車７８に簡単に取り付け、取り外すことができる。
【００４１】
また図６（ｄ）に示すように、ハンガー８４等の吊り下げに用いることもできる。ハンガー８４を接続具１から吊り下げ、物干し竿８２に接続することにより、風等でハンガー８４が物干し竿８２から外れることがない。接続具１を用いることにより、ハンガー８４を物干し竿８２に簡単に取り付け、取り外すことができる。図６（ｂ）〜（ｄ）に例示するような小型の接続具１では、第１拘束部１０や第２拘束部２０を針金やフックのようなもので形成してもよい。また、滑り易いプラスチックで形成することで、ラックやカーテンレール上を滑らかに滑らせることができる。
【００４２】
さらに、図７に示すように、接続具１は、カート、ワゴン、台車、運搬車、電車車両などを連結する連結器として用いることができる。接続具１を有するカート９０の相手側のカート９２に棒状体１００としての梁９４あるいは柱があれば、容易に着脱し、かつ、堅固な接続が可能である。この場合には、第１拘束部１０および第２拘束部２０において棒状体１００の軸直交方向の変位を拘束する平面に棒状体１００とのすべりを助長する部材１９を設けることが好ましい。カート９０、９２同士の上下の揺れ等の相対変位を許容するためである。なお、図７では、接続具１をカート９０、９２の連結に用いるものとしたが、ワゴン、台車、運搬車、電車車両等においても、同様に用いることができる。特に電車車両のように重量の大きなものの連結に用いる場合には、接続具１を堅固な材料で形成する。
【００４３】
このように、本発明の接続具１は、小さなものから大きなものまで広範な用途で用いることができ、また、素材も、鉄鋼等の堅牢なものからプラスチックなどの軽量のものまで多様な素材で形成できる。
【符号の説明】
【００４４】
１  接続具
１０  第１拘束部
１８  滑りを抑止する部材
１９  滑りを助長する部材
２０  第２拘束部
３０  第３拘束部
３２  ピン（止め部材）
４０  心棒
６０  医療用スタンド付属荷台
６２  平板
６４  枠
７０  ラック
７２  搬送物
７４  フレーム
７６  看板
７８  自転車
８０  収納ボックス
８２  物干し竿
８４  ハンガー
９０、９２  カート
９４  梁
１００  棒状体
１１０  点滴スタンド（医療用スタンド）
１１８  酸素ボンベ
１２０  医療用スタンド接続機能付き患者搬送具
１２４  ピン
１３０  車椅子（患者搬送具）
１３２  ティッピングレバー
【図１】
2020176682.tif 000003
【図２】
2020176682.tif 000004
【図３】
2020176682.tif 000005
【図４】
2020176682.tif 000006
【図５】
2020176682.tif 000007
【図６】
2020176682.tif 000008
【図７】
2020176682.tif 000009